(57)【要約】  【課題】  脱水時の水を受ける外槽を弾性支持する脱水兼用洗濯機の防振装置において、外槽の支持片あるいは摺動部材の摺接面に、成型時にひけあるいは変形が生じても、外槽の支持片あるいは摺動部材の摺接面が常に一定した接触状態を確保し、筐体の振動性能を良化する。  【解決手段】  脱水時の水を受ける外槽１２を筐体１６の四隅から吊り下げ部１７により弾性支持する。吊り下げ部１７は、外槽１２の支持片１２ａとの摺接面１９ａを有し吊り棒１８を挿通する挿通穴を含み略鉛直方向に下方部を分割するスリット部２２を有する摺動部材１９に吊り棒１８を挿通し、ばね支持板２０と摺動部材１９の下方部との間にばね部材２１を設ける。摺動部材１９の外槽１２の支持片１２ａとの摺接面１９ａの表面に円状の凸形状部１９ｃを配し、外槽１２の支持片１２ａと凸形状部１９ｃでのみ接触するよう構成する。【選択図】  図１
2005052281.tif 000002
【特許請求の範囲】
【請求項１】
洗濯兼脱水槽の外側に位置して脱水時の水を受ける外槽と、この外槽を筐体の四隅から弾性支持する吊り下げ手段を備え、前記吊り下げ手段は、上端部を筐体の上部に保持する吊り棒と、この吊り棒の底部に取り付けたばね支持板と、前記吊り棒を挿通し外槽の支持片との摺接面を有し、吊り棒を挿通する挿通穴を含み略鉛直方向に下方部を分割するスリット部を有する摺動部材と、前記ばね支持板と摺動部材の下方部との間に設けたスパイラル状のばね部材とを具備し、前記摺動部材の外槽の支持片との摺接面の表面に円状の凸形状部を配し、外槽の支持片と凸形状部でのみ接触するよう構成した脱水兼用洗濯機の防振装置。
【発明の詳細な説明】
【技術分野】
【０００１】
本発明は、脱水時の水を受ける外槽を弾性支持する脱水兼用洗濯機の防振装置に関するものである。
【背景技術】
【０００２】
従来、この種の脱水兼用洗濯機の防振装置は、図４から図６に示すように構成していた。以下、その構成について説明する。
【０００３】
図４に示すように、外槽１は、洗濯兼脱水槽２の外側に位置して脱水時の水を受けるものである。外槽１の下部にはモータ３とベルトで連結した減速機４を固着しており、また、外槽１は、筐体５の四隅から吊り下げ部６を介して防振支持している。
【０００４】
吊り下げ部６は、図５に示すように構成しており、吊り棒７は、筐体５から外槽１に設けた支持片１ａを介して設け、この吊り棒７の底部で、支持片１ａの下部には摺動部材８を設けている。また、吊り棒７の下部にばね支持板９を設け、このばね支持板９と摺動部材８との間に、圧縮コイルばねで形成したばね部材１０を設けている。
【０００５】
摺動部材８は、図６に示すように、支持片１ａと摺動する摺接面８ａを設けており、略鉛直方向に吊り棒７の挿通穴を含み下方部を分割するスリット部１１を設けている。
【０００６】
摺動部材８は、ばね部材１０による初期締め付け力と、ばね部材１０の圧縮に対する反発力、および支持片１ａからの荷重Ｆによって、スリット部１１が内側にたわみ、吊り棒７と摩擦摺動する（例えば、特許文献１参照）。
【０００７】
以上のような構成で、給水、洗濯、排水、脱水行程を自動的に行うものである。
【特許文献１】特開２００１−１６２０８５号公報
【発明の開示】
【発明が解決しようとする課題】
【０００８】
しかしながら、このような従来の構成では、脱水行程の起動時および定常時において、外槽１の支持片１ａあるいは摺動部材８の摺接面８ａは成型時にひけあるいは変形により脱水行程の定常運転時にそれぞれの摺接面が均一に接触できなくなり、異常音（コトコト音）が発生するなどの問題を有していた。
【０００９】
また、外槽１の支持片１ａあるいは摺動部材８の摺接面８ａは成型時にひけあるいは変形により接触面が均一に当らないために、吊り棒７との摩擦摺動が不安定となり、脱水行程時の起動特性が不安定になり、製品移動、安全スイッチ動作などの問題を有していた。
【００１０】
また、外槽１の支持片１ａあるいは摺動部材８の摺接面８ａは成型時にひけあるいは変形により接触面が均一に当らないために、吊り棒７との摩擦摺動が不安定となり、筐体５の振動性能が悪化するという問題を有していた。
【００１１】
本発明は上記従来の課題を解決するもので、外槽の支持片あるいは摺動部材の摺接面に、成型時にひけあるいは変形が生じても、外槽の支持片あるいは摺動部材の摺接面が常に一定した接触状態を確保し、筐体の振動性能を良化することを目的としている。
【課題を解決するための手段】
【００１２】
本発明は上記目的を達成するために、洗濯兼脱水槽の外側に位置して脱水時の水を受ける外槽を筐体の四隅から吊り下げ手段により弾性支持し、吊り下げ手段は、吊り棒の上端部を筐体の上部に保持し、この吊り棒の底部にばね支持板を取り付け、外槽の支持片との摺接面を有し吊り棒を挿通する挿通穴を含み略鉛直方向に下方部を分割するスリット部を有する摺動部材に吊り棒を挿通し、ばね支持板と摺動部材の下方部との間にスパイラル状のばね部材を設け、摺動部材の外槽の支持片との摺接面の表面に円状の凸形状部を配し、外槽の支持片と凸形状部でのみ接触するよう構成したものである。
【００１３】
これにより、外槽の支持片あるいは摺動部材の摺接面に、成型時にひけあるいは変形が生じても外槽の支持片あるいは摺動部材の摺接面が常に一定した接触状態を確保することができ、筐体の振動性能を良化することができる。
【発明の効果】
【００１４】
以上のように本発明の請求項１に記載の発明によれば、洗濯兼脱水槽の外側に位置して脱水時の水を受ける外槽を筐体の四隅から吊り下げ手段により弾性支持し、吊り下げ手段は、吊り棒の上端部を筐体の上部に保持し、この吊り棒の底部にばね支持板を取り付け、外槽の支持片との摺接面を有し吊り棒を挿通する挿通穴を含み略鉛直方向に下方部を分割するスリット部を有する摺動部材に吊り棒を挿通し、ばね支持板と摺動部材の下方部との間にスパイラル状のばね部材を設け、摺動部材の外槽の支持片との摺接面の表面に円状の凸形状部を配し、外槽の支持片と凸形状部でのみ接触するよう構成したから、外槽の支持片あるいは摺動部材の摺接面に成型時にひけあるいは変形が生じても、外槽の支持片あるいは摺動部材の摺接面が常に一定した接触状態を確保することができ、脱水行程の起動時および定常時の異常音（コトコト音）を解消することができ、また、脱水起動時に接触面が安定するために製品移動、安全スイッチ動作性を解消することができる。また、外槽の支持片あるいは摺動部材の摺接面が成型時にひけあるいは変形が生じても接触面が均一に当たるため、支持片との摩擦摺動が安定し、筐体の振動性能を良化することができる。
【発明を実施するための最良の形態】
【００１５】
本発明の請求項１に記載の発明は、洗濯兼脱水槽の外側に位置して脱水時の水を受ける外槽と、この外槽を筐体の四隅から弾性支持する吊り下げ手段を備え、前記吊り下げ手段は、上端部を筐体の上部に保持する吊り棒と、この吊り棒の底部に取り付けたばね支持板と、前記吊り棒を挿通し外槽の支持片との摺接面を有し、吊り棒を挿通する挿通穴を含み略鉛直方向に下方部を分割するスリット部を有する摺動部材と、前記ばね支持板と摺動部材の下方部との間に設けたスパイラル状のばね部材とを具備し、前記摺動部材の外槽の支持片との摺接面の表面に円状の凸形状部を配し、外槽の支持片と凸形状部でのみ接触するよう構成したものであり、外槽の支持片あるいは摺動部材の摺接面に、成型時にひけあるいは変形が生じても、外槽の支持片あるいは摺動部材の摺接面が常に一定した接触状態を確保することができ、脱水行程の起動時および定常時の異常音（コトコト音）を解消することができ、また、脱水起動時に接触面が安定するために製品移動、安全スイッチ動作性を解消することができる。また、外槽の支持片あるいは摺動部材の摺接面が成型時にひけあるいは変形が生じても接触面が均一に当たるため、支持片との摩擦摺動が安定し、筐体の振動性能を良化することができる。
【実施例】
【００１６】
以下、本発明の一実施例について、図面を参照しながら説明する。
【００１７】
図２に示すように、外槽１２は、洗濯兼脱水槽１３の外側に位置して脱水時の水を受けるものである。外槽１２の下部にはモータ１４とベルトで連結した減速機１５を固着している。外槽１２は、筐体１６の四隅から吊り下げ部（吊り下げ手段）１７を介して防振支持されている。
【００１８】
吊り下げ部１７は、図１に示すような構成となっている。吊り棒１８は、筐体１６から外槽１２に設けた支持片１２ａを介して設け、この吊り棒１８の底部で支持片１２ａの下部に、外槽１２の支持片１２ａとの摺接面１９ａの表面に円状の凸形状部１９ｃを有する摺動部材１９を設けている。ばね支持板２０は吊り棒１８の底部に設け、このばね支持板２０と摺動部材１９との間にスパイラル状のばね部材２１を設けている。
【００１９】
摺動部材１９は、図３に示すように、略鉛直方向に吊り棒１８の挿通穴１９ｂを含み下方部を分割するスリット部２２を有し、支持片１２ａとの摺接面１９ａがスリット部２２の上端部よりも上方に位置している。また、摺動部材１９の略鉛直方向に吊り棒１８の挿通穴１９ｂを含み下方部を分割するスリット部２２の開口側２２ａ周囲には、一端を２巻き以上の密着部２１ａを有するばね部材２１が挟持するように装着している。
【００２０】
上記構成において動作を説明する。洗濯行程が終了し、脱水行程が始まると、洗濯物である衣類の片寄りによるアンバランスによって、洗濯兼脱水槽１３および外槽１２に大きな振動が発生する。
【００２１】
この振動を抑えるために、摺動部材１９はばね部材２１の一端を２巻き以上の密着部２１ａを有するばね部材２１が挟持するように装着することで、初期締め付け力と、外槽１２からの負荷によるばね部材２１の圧縮に対する反発力により、スリット部２２が内側にたわみ、吊り棒１８と摩擦摺動して、振動を減衰させる。
【００２２】
この構成により振動などは減衰されるが、外槽１２の支持片１２ａの表面部は成型時のひけあるいは収縮変形などにより均一な球面が得られず、不安定な表面になることが多い。この不安定な外槽１２の支持片１２ａの表面部に均一に摺接させるために、摺動部材１９の摺接面１９ａの表面に円状の凸形状部１９ｃを設けることで、外槽１２の支持片１２ａの不安定な摺接面と凸形状部１９ｃでのみ接触させることができ、従来ような面接触構造から線接触構造になり、スムースな接触動作になり脱水定常時の振動による異常音（コトコト音）を解消することができる。
【００２３】
また、洗濯行程が終了し、脱水行程が始まると、洗濯物である衣類の片寄りによるアンバランスによって、洗濯兼脱水槽１３および外槽１２に大きな振動が発生する。また、この振動は、特に起動時に、外槽１２などの振動体の共振点を通過するときに最大となる。この振動を抑えるために、摺動部材１９はばね部材２１の一端を２巻き以上の密着部２１ａを有するばね部材２１が挟持するように装着することで、初期締め付け力と、外槽１２からの負荷によるばね部材２１の圧縮に対する反発力により、スリット部２２が内側にたわみ、吊り棒１８と摩擦摺動して振動を減衰させる。
【００２４】
ここで、摺動部材１９は２巻き以上の密着部２１ａを設けることで、ばね部材２１による初期締め付け力が安定するようになり、また、摺動部材１９の外槽１２との摺接面１９ａにスリット部２２が位置しないため、摺接面１９ａに左右の段差（位相差）が生じることがなく、異音や偏摩耗が発生しにくくなる。また、この段差（位相差）によるスリット部２２の不規則なたわみも生じることなく、安定した摩擦抵抗力を得ることができる。
【図面の簡単な説明】
【００２５】
【図１】本発明の一実施例の脱水兼用洗濯機の防振装置の一部切欠した断面図
【図２】同脱水兼用洗濯機の防振装置を備えた洗濯機の断面図
【図３】（ａ）同脱水兼用洗濯機の防振装置の摺動部材の上面図（ｂ）同脱水兼用洗濯機の防振装置の摺動部材の側面図
【図４】従来の脱水兼用洗濯機の防振装置を備えた洗濯機の断面図
【図５】同脱水兼用洗濯機の防振装置の一部切欠した断面図
【図６】同脱水兼用洗濯機の防振装置の摺動部材の側面図
【符号の説明】
【００２６】
１２  外槽
１２ａ  支持片
１３  洗濯兼脱水槽
１６  筐体
１７  吊り下げ部（吊り下げ手段）
１８  吊り棒
１９  摺動部材
１９ａ  摺接面
１９ｂ  挿通穴
１９ｃ  凸形状部
２０  ばね支持板
２１  ばね部材
２２  スリット部
【図１】
2005052281.tif 000003
【図２】
2005052281.tif 000004
【図３】
2005052281.tif 000005
【図４】
2005052281.tif 000006
【図５】
2005052281.tif 000007
【図６】
2005052281.tif 000008